(57)【特許請求の範囲】
【請求項１】
それぞれが黒表示状態および白表示状態となる複数の画素を備えた表示装置であって、
第１のフレームにおいては該画素を前記黒表示状態から階調表示状態に切換え、該第１のフレームに連続する第２のフレームにおいては該画素を前記白表示状態から前記第１のフレームにおける前記階調表示状態と同じ階調表示状態に切換えることによって、該画素のそれぞれを選択的に前記階調表示状態に切換えて、該画素のそれぞれの前記階調表示状態を前記第１のフレームおよび前記第２のフレームによって達成する制御部をさらに備える表示装置。
【請求項２】
前記画素は、液晶ディスプレイ画素を含む、請求項１に記載の表示装置。
【請求項３】
前記画素はロウに配列され、前記制御部は各ロウの該画素を全て同時にリフレッシュするように配列される、前記請求項１または２に記載の表示装置。
【請求項４】
それぞれが黒表示状態および白表示状態となる複数の画素を有する表示装置の操作方法であって、
第１のフレームにおいては該画素を前記黒表示状態から階調表示状態に切換え、該第１のフレームに連続する第２のフレームにおいては該画素を前記白表示状態から前記第１のフレームにおける前記階調表示状態と同じ階調表示状態に切換えることによって、該画素のそれぞれを選択的に前記階調表示状態に切換えて、該画素のそれぞれの前記階調表示状態を前記第１のフレームおよび前記第２のフレームによって達成する工程を包含する表示装置の操作方法。
【発明の詳細な説明】
【０００１】
【発明の属する技術分野】
本発明は、液晶ディスプレイ（ＬＣＤ）等の表示装置およびそのような表示装置の操作方法に関する。
【０００２】
【従来の技術】
公知のタイプのＬＣＤパネルは、マトリクス状の絵素（画素）を備えている。各画素はストロボ電極とデータ電極との交差部分に配置される。このタイプの表示装置には強誘電性液晶（ＦＬＣ）が利用できる。適切なデータ信号およびストロボ信号を印加することにより、それぞれ黒レベルおよび白レベルと呼ばれる最小値および最大値の間の光透過率または光反射率を持つ１つ以上の階調を表示することが可能である。（アナログ手段による）階調を実現するこの技術を単独で、もしくは空間的手法および／または時間的手法と組み合わせて用いて階調を得ることが可能である。従って、多数の階調を得ることが可能であり、このタイプのパネルディスプレイをより有用なものにし、その用途を拡大する。
【０００３】
このタイプの表示装置において階調を実現する際の困難点は、温度の変動、パネル厚（即ち、液晶層の厚さ）および画素パターン（即ち、他の画素に印加されたデータ信号に対する各画素の切換え感度のばらつき）に対して階調が敏感であることである。補償作用が無い場合、温度の変動によって階調のレベルが変動し、データ信号から期待されるレベルとは異なるものとなる。表示パネル全体に影響を及ぼす大規模な温度変動を補償する技術は公知であるが、階調は温度の変化に対して非常に敏感であり、表示エリア上の小さな温度変動でも階調は実質的に影響を受け得る。同様に、製造誤差等に起因するパネル内の小規模な液晶層の厚さの比較的小さなばらつきによって階調が実質的に影響を受ける場合がある。従って、このような影響は、信頼性良くアドレスできる階調の数を制限し、この表示装置による表示画質に悪影響を及ぼす。
【０００４】
【発明が解決しようとする課題】
公開特許公報第5-27719号は、画素化タイプの強誘電性液晶表示装置を開示している。各画素は２つの副画素に物理的に分割されている。２つの副画素の光学特性は単独に制御可能である。ある画素を所望の階調に切換えるには、一方の副画素を一旦白にブランクして、白状態から所望の階調を実現するべく切換えを行う。他方の副画素についても同様に、一旦黒にブランクしてから所望の階調を実現するべく切換えを行う。しかし、温度変動および強誘電性液晶の厚さの違いの影響によって、光透過率とスイッチング波形とを関係づける関数にシフトが生じる。両方の副画素が同様の影響を受けるが、これらの副画素は所望の階調へ切換えられる前に互いに反対の状態へとブランクされるため、このような変動の影響は少なくとも部分的に打ち消され、画素全体で知覚される階調の（温度や強誘電性液晶の厚さ等の）変動に対する依存性は実質的に小さくなる。具体的には、一方の副画素によって実現される階調を期待される階調よりも暗くする影響は、他方の副画素を期待される階調よりも明るくする。
【０００５】
このような表示装置によって、温度変動および強誘電性液晶の厚さのばらつきを補償することが可能であるが、副画素全てにアドレスするためには、その分多くの電極が必要となる。このために、このような表示装置によって実現できる空間解像度は制限される。なぜなら、副画素を形成するために、実現可能な空間解像度の一部を犠牲にしなければならないからである。また、あるサイズの画素マトリクスに副画素を設けるためには、ロウ電極またはカラム電極の数を２倍にしなければならないため、その分多くのドライバおよび接続が必要となる。
【０００６】
本発明はこのような現状に鑑みてなされたものであり、階調表示に対する温度および厚さ等の影響を低減、あるいは打ち消すことができる表示装置を提供することを目的とする。
【０００７】
【課題を解決するための手段】
本発明の表示装置は、それぞれが黒表示状態および白表示状態となる複数の画素を備えた表示装置であって、第１のフレームにおいては該画素を前記黒表示状態から階調表示状態に切換え、該第１のフレームに連続する第２のフレームにおいては該画素を前記白表示状態から前記第１のフレームにおける前記階調表示状態と同じ階調表示状態に切換えることによって、該画素のそれぞれを選択的に前記階調表示状態に切換えて、該画素のそれぞれの前記階調表示状態を前記第１のフレームおよび前記第２のフレームによって達成する制御部をさらに備えており、そのことにより上記目的が達成される。
【０００９】
ある実施例では、前記画素は、液晶ディスプレイ画素を含む。
【００１１】
他の実施形態では、前記画素はロウに配列され、前記制御部は各ロウの該画素を全て同時にリフレッシュするように配列される。
【００１２】
本発明の表示装置の操作方法は、それぞれが黒表示状態および白表示状態となる複数の画素を有する表示装置の操作方法であって、第１のフレームにおいては該画素を前記黒表示状態から階調表示状態に切換え、該第１のフレームに連続する第２のフレームにおいては該画素を前記白表示状態から前記第１のフレームにおける前記階調表示状態と同じ階調表示状態に切換えることによって、該画素のそれぞれを選択的に前記階調表示状態に切換えて、該画素のそれぞれの前記階調表示状態を前記第１のフレームおよび前記第２のフレームによって達成する工程を包含し、そのことにより上記目的が達成される。
【００１３】
本発明によれば、それぞれ第１および第２の光学状態を有する複数の画素を備え、第１の期間においては該画素を該第１の光学状態から中間光学状態に切換え、該第１の期間に連続する第２の期間においては該画素を該第２の光学状態から該中間光学状態に切換えることによって、該画素のそれぞれを選択的に該中間光学状態に切換える制御部を備えた、表示装置が得られる。
【００１４】
上記第１および第２の期間は、表示データの奇数フレームおよび偶数フレームであり得る。従って、各画素は第１の期間は第１の副画素として動作し、第２の期間は第２の副画素として動作する。各画素によって表示される階調は、これらの副画素の階調の平均として知覚される。副画素を反対の状態へとスイッチングすることによって、温度および厚さの影響を低減あるいは打ち消すことができる。具体的には、あるフレームでは選択された階調（の輝度）を増大させ、次のフレームではそれを低下させるような影響を少なくとも部分的に補償することができる。従って、知覚される画素階調への影響を実質的に低減する、あるいは排除する（即ち、知覚不可能にする）ことも可能である。表示装置の全空間解像度を使った画像表示が、電極および電極ドライバの数を増やすことなく実現できる。
【００１５】
好ましくは、第１の状態、第２の状態および中間状態はそれぞれ黒状態、白状態およびグレー状態である。それぞれ最小および最大光透過率に対応する黒状態および白状態は、アドレスが容易であり且つ安定した状態を提供し、その状態から画素を所望の階調に切換えられる。
【００１６】
画素は、液晶ディスプレイ画素を含むが、他のタイプの表示装置も使用できる。
【００１７】
好ましくは、第１および第２の期間は連続するフレームリフレッシュ期間を含む。
【００１８】
好ましくは、画素はロウに配列され、制御部は各ロウの画素を全て同時にリフレッシュするように配列される。
【００１９】
本発明の別の局面によれば、複数の画素を有し、第１の期間においては該画素を第１の光学状態から中間光学状態に切換え、該第１の期間に連続する第２の期間においては該画素を第２の光学状態から該中間光学状態に切換えることによって、該画素のそれぞれを選択的に該中間光学状態に切換える、表示装置の操作方法が得られる。
【００２０】
従って、アナログ階調が信頼性良くアドレスできるので、より多くの階調をアドレスすることが可能となる。従って、表示装置の階調能力が向上する。このようなアナログ技術を空間的および時間的ディザー技術と組み合わせれば多数の階調が得られ、ＬＣＤ等の表示装置をより有用なものにし、その用途を拡大する。
【００２１】
【発明の実施の形態】
以下に図面を参照しながら、本発明の実施例を説明する。
【００２２】
図１は、画素７のような画素のマトリクスを備えたＬＣＤの一部を示す。これらの画素は、ｎ個のデータ電極（またはカラム電極）１1、１2、．．．１nとｍ個のストロボ電極（またはロウ電極）２1、２2、．．．２mとの交差部分に形成される。データ電極１1、１2、．．．１nはデータ信号生成器４に接続され、そこからデータ信号Ｄ1、Ｄ2、．．．Ｄnを受け取る。一方、ストロボ電極２1、２2、．．．２mはストロボ信号生成器５に接続され、そこからストロボ信号Ｓ1、Ｓ2、．．．Ｓmを受け取る。データ信号生成器４およびストロボ信号生成器５はディスプレイ入力６に接続される。ディスプレイ入力６は、画像データをデータ信号生成器４に、そしてクロック信号をデータ信号生成器４およびストロボ信号生成器５に供給する。
【００２３】
図１に示されるＬＣＤは、データ電極１とストロボ電極２1、２2、２3、．．．２mとの間に配され配向層を有する液晶層をさらに備えている。偏光板およびその他の素子も設けられるが、明瞭さのために図１にはこれらの部材を示さない。図１に示される表示装置における液晶は強誘電性液晶である。
【００２４】
図２は、ストロボ信号Ｓ1、Ｓ2、．．．Ｓmの形状、タイミングおよび極性を示す。表示データはフレームに配列され、各フレームは表示装置の画素７を全てリフレッシュするためのデータを含んでいる。データのフレッシュフレームは連続的に表示装置に供給される。各フレームにおいて、先頭ストロボ電極２1に関連付けられた画素から始まって最終ストロボ電極２mに関連付けられた画素まで、１ロウずつ、画素を新しい表示データでリフレッシュする。
【００２５】
図２に示されるように、表示データの第１のフレームで表示装置の画素７をリフレッシュするために、時間Ｔ１1においてストロボ信号Ｓ1がストロボ電極２1に供給される。ストロボ信号Ｓ1は、負のブランクパルス８を含んでおり、正のストロボパルス９がそれに続く。負のブランクパルス８は、電極２1によってアドレスされる画素を全て黒レベルに切換える。これと同時にデータ信号生成器４は、データ信号Ｄ1、Ｄ2、．．．Ｄnをそれぞれ同時にデータ電極１1、１2、．．．１nに、ストロボパルス９に同期させて供給する。このようにして、ストロボ電極２1によってアドレスされる画素のロウに表示データのロウが入力される。以下にデータ信号について詳細に説明する。
【００２６】
データの第１のロウが表示パネルに入力されると、ストロボ信号Ｓ1が終了し、時間Ｔ１2において、ストロボ信号Ｓ2がストロボ電極２2の第２のロウに印加される。ストロボ信号Ｓ2の形状はストロボ信号Ｓ1と同じであり、画素のロウが黒にブランクされた後、表示データが同時に、且つストロボパルスに同期して画素に入力される。
【００２７】
時間Ｔ１mにおいて最後のストロボ信号Ｓmが印加されるまで、残りのストロボ信号がストロボ電極に順次印加される。その後、時間Ｔ２1において、次のフレームの表示データによる表示装置のリフレッシュが開始される。ストロボ信号Ｓ1がストロボ電極２1に再び印加される。しかし、第２フレームにおいては、ストロボ信号が反転しており、各ストロボ信号は、正のブランクパルス１０を含み、負のストロボパルス１１がそれに続く。従って、各ラインアドレス時間の始めに、アドレスされている画素のロウが先ず白状態にブランクされ、その後、ストロボパルスおよびデータ信号によって画素の光学状態が所望のグレーレベルに切換えられる。
【００２８】
局所的な温度変動あるいは厚みのばらつき等の影響を補償するために、各奇数フレームにて供給された画像データが次の偶数フレームでも繰り返される。従って、表示装置の各画素７は、連続する奇数・偶数フレームにおいて、画素を同じ階調に制御するように意図されたストロボ信号およびデータ信号を受け取る。但し、奇数フレームでは画素の光学状態が黒状態から所望の階調へと切換えられるが、それに続く偶数フレームでは画素が白状態から所望の階調へと切換えられる。従って、各画素が各奇数フレームにおいては第１の副画素であり、それに続く偶数フレームにおいては第２の副画素であると見なすことができる。なぜなら、画素は、両フレームにおいて同じ画像データ（即ち、同じ階調）を表示するように意図されているからである。
【００２９】
図３は、図２に示されるストロボ波形と共に用いることが可能なデータ波形の例を示す。ラベル「ＰＰＩデータ」の下に記された波形は、画素パターンに起因する階調の変動を低減するために用いることができる画素パターン独立（pixel pattern independent）データパルスである。このタイプのパルスは欧州特許第0710945号に開示されている。隣の欄には、P.W.H.SurguyらのFerroelectrics、122、63、1991年に開示されるような、JOERS/Alveyとして知られるタイプのデータ波形を示す。階調アドレッシングを実現するために、例えば、これらの波形の位相がずれていても良い。しかし、J.R.Hughes、E.P.Raynes、Liquid Crystals、13、S97、1993年に開示されるMalvernセット（Malvern set）等の他の適切なデータ波形を用いることも可能である。
【００３０】
Ａの列にあるデータ波形は「反転」ストロボパルス１１と組み合わされると、画素７の状態を白から黒に切換えるが、「ノーマル」ストロボパルス９と組み合わされると画素７に対して非切換えパルスとなり、画素７は黒状態を保持する。Ｂの列にあるパルスは、ストロボパルス９と組み合わされると画素を黒状態から白状態に切換えるが、ストロボパルス１１と組み合わされると画素を切換えないため、画素は白状態を保持する。Ｃの列にあるパルスは中間パルスであり、ストロボパルス９および１１と組み合わされると画素を黒状態および白状態から中間階調状態(intermediate grey state)に切換える。この中間階調状態は、温度変動およびセル厚のばらつきの影響が無い場合には透過率が同じになるように意図されている。
【００３１】
図４のグラフ１２および１３は、黒、白および中間階調をアドレスするある範囲のデータパルスに対する画素７の光透過率を示している。図３のＡ列、Ｂ列およびＣ列に示されるデータ波形がＸ軸上に記されている。好ましくは、グラフ１２およびグラフ１３のそれぞれの曲線の傾きが可能な限り同じになるように、画素７の駆動点が選択される。例えば図３のＣ列に示されるような中間データ波形の連続的な範囲を用いて、階調の連続的な範囲を選択することが可能である。グラフ１２およびグラフ１３の曲線をできるだけ同じにすれば、中間データ波形によって、類似あるいは実質的に同一の階調が画素７において選択される。連続する奇数・偶数フレームで画素７によって生成される階調が観測者の目によって一体化されるような速度でフレームが繰り返される。従って、個々のフレームにおける各画素の階調の平均値がその階調となる。
【００３２】
図５は、図４に示される曲線への温度の影響を示す。具体的には、グラフ１４は奇数フレームにおける温度上昇が画素に及ぼす影響を示し、グラフ１５は偶数フレームにおける温度上昇が画素に及ぼす影響を示す。図３のＣ列のデータ波形を用いて中間（５０％）階調を選択する場合、温度の上昇によって曲線が左にシフトし、これにより、実際にデータ波形Ｃによって選択された、奇数フレームにおける画素の階調は、所望の５０％階調よりも高輝度になる。偶数フレームにおける画素については、グラフ１５の曲線は温度の上昇によって右に移動するため、データ波形Ｃによって所望の５０％階調よりも低輝度の階調が選択される。連続する偶数・奇数フレームにおいて実際に選択される階調は観測者の目によって一体化されるため、知覚される画素７の階調は所望の５０％階調にほぼ等しくなる。
【００３３】
データ波形ＡおよびＢにおいては、図４および図５に示される透過率曲線がほぼ水平であるので、黒レベルおよび白レベルは温度の変動による影響を実質的に受けない。透過率曲線の傾きが奇数・偶数フレームについて同じである場合、温度が変化しても選択される平均階調は実質的に一定である。
【００３４】
図３に示される画素パターン独立（ＰＰＩ）データ波形を用いる場合、必要となるデータタイプは１つだけであるため画素パターンが低減される。しかし、一般に、「反転」画素パターン組はノーマル画素パターン組よりも遅いため、連続するフレームにおいて持続時間および振幅が同じであるストロボパルスを用いて切換えが起こるように、ストロボ信号９および１１の持続時間あるいは電圧を調節しても良い。連続する奇数・偶数フレームにおいて、ストロボ信号９および１１の持続時間または振幅は同じである必要はないが、データ信号は同じである。
【００３５】
これらの困難点は様々な方法によって克服できる。例えば、ノーマルストロボ信号および反転ストロボ信号の時間的な長さが同じであっても良い。但し、この場合、その時間的な長さはノーマルストロボが動作し得る最高速度のものより長い。あるいは、ストロボパルスをブランクパルスに近づけて、ノーマルストロボ信号を反転ストロボ信号よりも遅くすることも可能である。別の可能な方法として、反転ストロボ信号をノーマルストロボに対して延長して、反転ストロボ信号の速度を上げることもできる。
【００３６】
図６は、図１に示される表示装置においてＳＣＥ８として知られているＦＬＣ材料を用いた実施例の性能を示す。２４℃、２５℃、２６℃（それぞれ黒三角、黒四角、黒丸の点で図示）で測定を行って、図６のグラフに示される曲線を得た。上側の曲線はノーマルストロボ信号９の奇数フレームに関し、下側の曲線は反転ストロボ信号１１の偶数フレームに関する。ノーマルストロボ信号９のストロボパルスの振幅は４４ボルトであり、２タイムスロット分延長され、一方、反転ストロボ信号１１のストロボパルスの振幅は４３.４ボルトであり、４スロット分延長され、２５マイクロ秒の一定のスロット時間を保持した。これらの曲線は、階調の温度に対する感度が高いことを示している。
【００３７】
図７では、同じ表示装置を用いて、図２および図３に示される「補償アドレス」技術の性能と、従来の非補償タイプの表示装置を擬するようにいずれのフレームにおいてもノーマルストロボ波形８および９を供給して動作させたものの性能とを、比較している。図７に示すように、５０％の階調を選択した時、２４℃〜２６℃の温度範囲において、補償表示装置の階調変動は、僅か数パーセントであった。一方、同じ温度範囲において、非補償表示装置の階調は約５％から約８０％まで変動した。データパルスは、振幅８ボルト（ＲＭＳ）のＰＰＩタイプのものであった。
【００３８】
図８は、様々なＰＰＩ波形を用いた同一の表示装置の補償動作を様々な階調について示している。黒レベルおよび白レベルは温度の影響をほとんど受けていない。２５℃の「設定」温度から温度が遠ざかるにつれて、中間階調は幾分変動を示し、５０％の階調に近づこうとしている。これは、温度が変化するにつれて、奇数フレームにおいては各画素が白状態に近づこうとし、偶数フレームにおいては各画素が黒状態に近づこうとするからである。しかし、中間階調の曲線が互いに交わったり、重なったりはしていない。つまり、「画像反転」の傾向はない。
【００３９】
表示パネル全体の大規模な温度変動を補償するために他の公知の技術が用いられる。一方、上記の技術を用いて温度に伴う階調のばらつきを補償することにより、表示パネル上の小規模な温度変動が補償できるので、階調のばらつきが低減される。
【００４０】
この技術を用いて、他の作用に起因して奇数フレームおよび偶数フレームで互いに反対の方向に透過率曲線をシフトさせる変動を補償できる。従って、セル厚に起因する階調のばらつきおよびセル厚の変化を実質的に低減できる。
【００４１】
このタイプの表示装置は、同等の従来型表示装置の２倍のフレームリフレッシュ速度で動作させる必要があるものの、表示装置の全空間解像度が利用可能であり、追加のドライバも全く必要としない。フリッカが見えるのを回避するのに十分なリフレッシュ速度であれば、連続するフレームにおける画素の階調は観測者の目によって一体化され、平均階調が知覚される。
【００４２】
ＦＬＣを用いて階調の温度依存性を低減するために、好ましくは、Ｖminおよびτminの温度依存性が低い材料を用いる。また、図４に示されるような透過率曲線の傾きは、急過ぎてはいけない。適切な駆動点を選択することにより、および／またはMalvernデータ波形組のような高速アドレッシング技術を用いることによってこの曲線の傾きは低減できる。あるいは、複数厚(multi-thickness) 、くさび形セルまたはフリンジセル(fringe cell) を用いる等、表示装置のセル構成を選択して透過率曲線の傾きを低減することも可能であある。
【００４３】
図９は、図１に示される表示装置のデータ信号生成器４およびストロボ信号生成器５によって生成される実際の波形を示す。曲線４０および曲線４１はそれぞれノーマルストロボ波形および反転ストロボ波形を示し、曲線４２はＰＰＩデータ波形を示す。副画素は、幅１００マイクロメータであり、１０マイクロメータの隙間で隔てられている。
【００４４】
図１０から図１２は、温度２５℃におけるこの表示装置の動作を示す。測定された低輝度透過率レベル（即ち、「黒」透過率レベル）は図１０において４３で示されており、測定された高輝度透過率レベル（即ち、「白」透過率レベル）は図１１において４３’で示されている。図１２は、中間階調の一体化測定レベル４４を示す。
【００４５】
図１３および図１４は図１２に対応しており、それぞれ２４℃および２６℃での測定性能を示している。図１２および図１４において透過率レベル４４で示されるように、画素の階調は温度に対して非常に小さな変動しか示さない。
【００４６】
図１０から図１４に示される結果を得た表示装置の実施例では、２９.６ボルトの大きさの"Malvern 2"タイプのノーマルストロボ波形、および４１.２ボルトの大きさのMalvern 2.5タイプの反転ストロボ波形を用いた。そして振幅８ボルト（ＲＭＳ）、タイムスロット２０マイクロ秒のＰＰＩデータ波形を用いた。
【００４７】
図１５に示される断面図は、表示装置の他の構成要素に対する、カラム電極１1、１2、．．．１nおよびロウ電極２1、２2、．．．２mの位置を示す。表示装置は、ロウ電極と偏光板２１との間に配置された下側ガラス基板２０を備えている。液晶材料２２の層は上部配向層２３と下部配向層２４との間に配置されている。上部配向層２３および下部配向層２４は、カラム電極とロウ電極との間に配置されている。上部ガラス基板２５は、カラム電極と偏光板２６との間に配置されている。画素が拡がっている方向(extent)は２７で示されている。
【００４８】
液晶表示装置のみを記載したが、透過率曲線のシフトを有する他のタイプの表示装置にもこれと同じ技術が利用可能である。
【００４９】
【発明の効果】
本発明によれば、各画素は第１の期間は第１の副画素として動作し、第２の期間は第２の副画素として動作する。各画素によって表示される階調は、これらの副画素の階調の平均として知覚される。副画素を反対の状態にスイッチングすることによって、温度および厚さの影響を低減あるいは打ち消すことができる。具体的には、あるフレームでは選択された階調（の輝度）を増大させ、次のフレームではそれを低下させるような影響を少なくとも部分的に補償することができる。従って、知覚される画素階調への影響を実質的に低減する、あるいは排除する（即ち、知覚不可能にする）ことも可能である。表示装置の全空間解像度を使った画像表示が、電極および電極ドライバの数を増やすことなく実現できる。
【００５０】
また、本発明によれば、アナログ階調が信頼性良くアドレスできるので、より多くの階調をアドレスすることが可能となる。従って、表示装置の階調能力が向上する。このようなアナログ技術を空間的および時間的ディザー技術と組み合わせれば多数の階調が得られ、ＬＣＤ等の表示装置をより有用なものにし、その用途を拡大する。
【図面の簡単な説明】
【図１】本発明の第１の実施形態をなす液晶表示装置の概略図である。
【図２】図１の表示装置において生じるストロボ波形を示す。
【図３】図１の表示装置において生じるデータ波形を示す。
【図４】図１の表示装置におけるデータ波形対光透過率を第１および第２の副画素について示すグラフである。
【図５】図４に類似のグラフであり、温度変動による影響を示している。
【図６】図５に類似のグラフであり、図１に示される表示装置の実施例における実際の測定値(measurement)を示す。
【図７】光透過率対温度（℃）のグラフであり、図１の表示装置の実施例および公知の非補償表示装置について、５０％階調における温度に対しての変動を示している。
【図８】図７のグラフに類似のグラフであるが、表示装置の実施例における温度に対しての（光透過率）の変動を数階調にわたって示している。
【図９】図１に示される表示装置の実施例に実際に印加される波形を示す。
【図１０】図１に示される表示装置における実際の波形および測定光透過率を低輝度状態（即ち、低輝度レベル）について示すグラフである。
【図１１】高輝度状態（即ち、高輝度レベル）についての、図１０のグラフに類似のグラフである。
【図１２】中間状態（即ち、中間レベル）についての、図１０および図１１に示されるグラフに類似のグラフである。
【図１３】異なる温度についての、図１２に示されるグラフに類似のグラフである。
【図１４】異なる温度についての、図１２に示されるグラフに類似のグラフである。
【図１５】図１に示される表示装置の断面図である。
【符号の説明】
７    画素
１1、１2、．．．１n  データ電極（またはカラム電極）
２1、２2、．．．２m  ストロボ電極（またはロウ電極）の交差部分に形成され
４    データ信号生成器
Ｄ1、Ｄ2、．．．Ｄn  データ信号
５    ストロボ信号生成器
Ｓ1、Ｓ2、．．．Ｓm  ストロボ信号
６    ディスプレイ入力
９    「ノーマル」ストロボパルス
１１    「反転」ストロボパルス
【図１】
0003635839.tif 000002
【図２】
0003635839.tif 000003
【図３】
0003635839.tif 000004
【図４】
0003635839.tif 000005
【図５】
0003635839.tif 000006
【図６】
0003635839.tif 000007
【図７】
0003635839.tif 000008
【図８】
0003635839.tif 000009
【図９】
0003635839.tif 000010
【図１０】
0003635839.tif 000011
【図１１】
0003635839.tif 000012
【図１２】
0003635839.tif 000013
【図１３】
0003635839.tif 000014
【図１４】
0003635839.tif 000015
【図１５】
0003635839.tif 000016